(57)【要約】【課題】本発明は、携帯端末機用ケースに係り、特に、ＮＦＣリーダーを搭載する携帯端末機のためのケースに関する。【解決手段】本発明による携帯端末機用ケースは、端末機の背面を覆い、一つ以上の光透過部が形成される背面カバーと、背面カバーの縁部から折り曲げて延長され、端末機の側面を取り囲むバンパーと、背面カバーの内側で結合されて光透過部に光を照射する発光ダイオードが形成される発光ダイオードモジュールと、を含む。この時、発光ダイオードモジュールは、携帯端末機に装着されるＮＦＣリーダーの無線電波を利用して動作電源を生成する。【選択図】図１
2013157975.tif 000002
【特許請求の範囲】
【請求項１】
携帯端末機の側面と背面を覆う携帯端末機用ケースであって、
前記端末機の背面を覆い、少なくとも一部領域では光を透過させる光透過部が形成される背面カバーと、
前記背面カバーの内側で結合され、前記背面カバーの外側に光を照射する発光ダイオードが形成される発光ダイオードモジュールと、備え、
前記発光ダイオードモジュールは、前記携帯端末機に装着されるＮＦＣリーダーの無線電波を利用して動作電源を生成することを特徴とする携帯端末機用ケース。
【請求項２】
前記光透過部は、前記背面カバーを貫通するホールであることを特徴とする請求項１に記載の携帯端末機用ケース。
【請求項３】
前記光透過部は、透明または半透明材質を利用することを特徴とする請求項１に記載の携帯端末機用ケース。
【請求項４】
前記光透過部は、絵、文字または文様の形象を有するように形成されることを特徴とする請求項３に記載の携帯端末機用ケース。
【請求項５】
前記背面カバーの外側から結合され、光透過度が相違になるように文様または絵などのパターンが印刷されるカバーフィルムをさらに備えることを特徴とする請求項１乃至請求項４のいずれか１項に記載の携帯端末機用ケース。
【請求項６】
前記カバーフィルムに印刷されるパターンは、前記発光ダイオードの位置と対応することを特徴とする請求項５に記載の携帯端末機用ケース。
【請求項７】
前記光透過部には、キュービックが装着されたことを特徴とする請求項２に記載の携帯端末機用ケース。
【請求項８】
前記発光ダイオードと対面する前記キュービックの一面には、発光ダイオードの光が通過する透過面の周辺で反射コーティング層が形成されて入射された光を前記キュービックの外部に反射することを特徴とする請求項７に記載の携帯端末機用ケース。
【請求項９】
前記背面カバーには、前記光透過部が前記背面カバーの内側から背面カバーの外側に行くほど断面の直径が徐徐に小さくなるように傾斜面が形成され、前記キュービックの側面には、前記背面カバーの傾斜面と対応する勾配を有する側面傾斜部が形成され、前記背面カバーの傾斜面に前記キュービックの側面傾斜部が安着固定されて前記キュービックの離脱が防止されることを特徴とする請求項７又は請求項８に記載の携帯端末機用ケース。
【請求項１０】
携帯端末機の側面と背面を覆う携帯端末機用ケースであって、
前記端末機の背面を覆う背面カバーと、
前記背面カバーの外側から結合され、発光ダイオードが形成される発光ダイオードモジュールと、
前記発光ダイオードモジュールを覆い、前記発光ダイオードの光が透過される光透過部が形成されるカバーフィルムと、を含み、
前記発光ダイオードは、前記携帯端末機のＮＦＣチップの無線電波を動作電源で利用することを特徴とする携帯端末機ケース。
【発明の詳細な説明】
【技術分野】
【０００１】
本発明は、携帯端末機用ケースに係り、特に、ＮＦＣリーダーを搭載する携帯端末機用ケースに関する。
【背景技術】
【０００２】
移動通信携帯端末機は、単純な移動電話機としての用途を越えて、音楽/映画のようなマルチメディアの再生と、娯楽のための手段と、写真撮影などの複合的な用途で利用される。特に、近来には多様なアプリケーションを利用することができるスマートフォンが大衆化されている。
【０００３】
大部分のスマートフォンは、端末機の前面にタッチパネルが形成されており、タッチパネルをディスプレイ部として活用すると同時に端末機の作動のための入力装置として使用している。このようなタッチパネルは、電話の着信/発信または文字やメッセージの送・受信状態をユーザに視覚的に知らせる機能を実行し、無音の状態でユーザの手から離脱された端末機の動作状況をユーザに可視的に知らせる機能も実行する。
【０００４】
このようなタッチパネルは、端末機の一面に形成されるので、無音の状態でタッチパネルが底面に向かって置かれるか遮断されている場合には、ユーザに端末機の動作状況を知らせる方法がない。したがって、ユーザは無音で設定した状態の端末機を身体から離脱させる場合には、タッチパネルが目に見えるように気を付けなければならない不便さがある。
【発明の概要】
【発明が解決しようとする課題】
【０００５】
したがって、本発明は上述したような従来技術の問題点を解決するためになされたもので、その目的は、携帯端末機の動作状況をタッチパネル以外の別途の方法でユーザに可視的に表示することができる携帯端末機用ケースを提供することにある。
【課題を解決するための手段】
【０００６】
前記目的を達成するために、本発明による携帯端末機用ケースは、端末機の背面を覆い、一つ以上の光透過部が形成される背面カバーと、背面カバーの縁部から折り曲げて延長され、端末機の側面を取り囲むバンパーと、背面カバーの内側で結合され、光透過部に光を照射する発光ダイオードが形成される発光ダイオードモジュールと、を含む。この時、発光ダイオードモジュールは、携帯端末機に装着されるＮＦＣリーダーの無線電波を利用して動作電源を生成する。
【０００７】
そして、光透過部は、背面カバーを貫通するホールの形態で形成することができる。
【０００８】
また、前記ホールには、キュービックが装着され、発光ダイオードに対面する前記キュービックの一面には、発光ダイオードの光が通過する透過面の周辺で反射コーティング層が形成されて入射された光を前記キュービックの外部に反射するように構成することができる。
【０００９】
また、光透過部は、透明または半透明材質を利用して形成することができる。この時、光透過部は、絵または文字または文様の形象を有するように形成することができる。
【００１０】
他の実施形態による携帯端末機用ケースは、端末機の背面を覆う背面カバーと、背面カバーの一番縁部に折り曲げて延長されて端末機の側面を覆うバンパーと、背面カバーの外側で結合され、発光ダイオードが形成される発光ダイオードモジュールと、発光ダイオードモジュールを覆い、発光ダイオードの光が透過される光透過部が形成されるカバーフィルムと、を含み、発光ダイオードは、携帯端末機のＮＦＣチップの無線電波を動作電源で利用する。
【発明の効果】
【００１１】
本発明による携帯端末機用ケースによれば、携帯端末機のディスプレイパネルがターン−オンされることを感知して発光ダイオードを発光させることにより、携帯端末機カバーの背面を通じても電話の着信またはメッセージが受信されることを確認することができる。
【００１２】
特に、本発明による携帯端末機のケースは、発光ダイオードの発光のために別途の電源供給装置を必要としないので、費用が節減され、小型化を図ることができる。
【図面の簡単な説明】
【００１３】
【図１】本発明の第１実施形態による携帯端末機用ケースを示す斜視図である。
【図２】図１に示されたケースのＡ−Ａ’線に沿って切断した面を示す断面図である。
【図３】発光ダイオードモジュールの構成を示す面である。
【図４】本発明の第２実施形態による携帯端末機用ケースの切断面図である。
【図５】本発明の第２実施形態によるケースの背面カバーを示す図である。
【図６】本発明の第２実施形態によるケースの背面カバーを示す図である。
【図７】本発明の第３実施形態による携帯端末機用ケースの切断面図である。
【図８】本発明の第４実施形態による携帯端末機用ケースの切断面図である。
【図９】本発明の第４実施形態によるケースの背面カバーを示す図である。
【発明を実施するための形態】
【００１４】
以下、前記目的を具体的に実現できる本発明の実施形態について添付図面を参照して説明する。本実施形態の説明するにおいて、同一構成に対しては同一名称及び符号を付与し、これによる付加的な説明は省略する。
【実施例】
【００１５】
本発明による携帯端末機用ケースは、図１に示したように、ＮＦＣリーダー２１０を搭載した携帯端末機のためのケースに関するものである。ＮＦＣリーダー２１０は、ＮＦＣチップとＮＦＣアンテナと、を含むもので、近距離無線通信(ＮＦＣ：Ｎｅａｒ Ｆｉｅｌｄ Ｃｏｍｍｕｎｉｃａｔｉｏｎ)標準規約に根拠した通信モジュールを意味する。
【００１６】
図１は、本発明の第１実施形態による携帯端末機用ケースを示す斜視図であり、図２は、図１に示されたＡ−Ａ’線に沿って切断した断面を示す断面図である。
【００１７】
図１及び図２を参照すれば、第１実施形態による携帯端末機用ケース１００は、カバー部１２０及び発光ダイオードモジュール１５０を含む。
【００１８】
カバー部１２０は、端末機２００の側面を取り囲みながら背面を覆う形態を有する。これのために、カバー部１２０は、端末機２００の背面を覆う背面カバー１２２及び背面カバー１２２から折り曲げて延長されて端末機の側面を取り囲むバンパー１２４からなる。
【００１９】
そして、背面カバー１２２には、一つ以上の光透過部１２３が形成される。光透過部１２３は、発光ダイオード(ＬＥＤ：Ｌｉｇｈｔ Ｅｍｉｔｔｉｎｇ Ｄｉｏｄｅ)１５４から放出する光をケース１００の外部に透過させるための領域である。このような光透過部１２３は、背面カバー１２２を貫通するホール(ｈｏｌｅ)形態で具現することができ、ホール形態の各々の光透過部１２３は、発光ダイオードモジュール１５０の発光ダイオード１５４が配置される位置と対応する部分に形成される。
【００２０】
また、バンパー１２４の縁部には、端末機の前面の縁部を取り囲みながら、全体的にケース１００を安定的に結合させるための締結部１２６を形成することができる。
【００２１】
そして、カバー部１２０には、携帯端末機２００の各種ボタンとコネクタに対応する電源ボタンホール１３２、イヤホンジャックホール１３４、音量ボタンホール１３６及びカメラレンズホール１３８などが形成される。
【００２２】
このようなカバー部１２０の背面カバー１２２、バンパー１２４及び締結部１２６は、射出成形を通じて一体型に形成することができる。そして、カバー部１２０は、端末機との着脱が容易で端末機を物理的な衝撃から保護するために樹脂系列、例えば、ウレタン(Ｕｒｅｔｈａｎｅ)を利用して形成することができる。
【００２３】
カバーフィルム１６０は、絵や文様などのパターンが印刷された樹脂系列のカバーとして、カバー部１２０の外側から背面カバー１２２と結合する。カバーフィルム１６０に印刷されるパターンは、光透過度を相違に形成することにより、発光ダイオード１５４の発光にしたがってパターンの絵が背景と一層明確に区分されるように形成することができる。すなわち、カバーフィルム１６０は、発光ダイオード１５４の発光にしたがって特定パターンが現われるようにすることができる。
【００２４】
発光ダイオードモジュール１５０は、発光ダイオード１５４を含む回路基板として、発光ダイオード１５４は、ＮＦＣ周波数を利用して発光することを特徴とする。すなわち、発光ダイオード１５４は、携帯端末機に搭載されるＮＦＣリーダー２１０が無線通信を実行する時に利用する周波数を受信することで発光する。発光ダイオード１５４は、モジュールに一つまたは複数個を装着することができ、複数個が配列される場合、発光ダイオード１５４は特定絵や文様または文字の形態を成すように配列できる。
【００２５】
そして、発光ダイオードモジュール１５０は、背面カバー１２２の内側の窪んだ安着溝１２８に装着される。この時、発光ダイオードモジュール１５０は、透明な両面テープ(図示せず)を利用して背面カバー１２２に合着することができる。
【００２６】
このような発光ダイオードモジュール１５０は、軟性回路基板(ＦＰＣＢ：Ｆｌｅｘｉｂｌｅ Ｐｒｉｎｔｅｄ Ｃｉｒｃｕｉｔ Ｂｏａｒｄ)を利用して製作することができる。すなわち、発光ダイオードモジュール１５０は、軟性のベースフィルム１５２に発光ダイオード１５４及び回路構成を形成して製作することができる。
【００２７】
軟性回路基板で形成される発光ダイオードモジュール１５０の構成は、図３に示したようである。
【００２８】
図３を参照すれば、発光ダイオードモジュール１５０は、アンテナ１５８、フィルタ部１５６及び発光ダイオード１５４を含む。
【００２９】
アンテナ１５８は、携帯端末機２００に搭載されるＮＦＣリーダー２１０から無線周波数を受信して誘導起電力を生成するためのものとして、コイルの形態で具現することができる。
【００３０】
フィルター部１５６は、携帯端末機２００のＮＦＣリーダー２１０の周波数を選択的に濾過するためのもので、低周波通過フィルタ(ＬＰＦ：Ｌｏｗ Ｐａｓｓ Ｆｉｌｔｅｒ)を利用することができる。
【００３１】
発光ダイオード１５４は、アンテナ１５８で生成した誘導起電力を利用して発光し、モジュール１５０上に複数個を配列して特定文様や絵または文字の形態を表現することができる。
【００３２】
すなわち、発光ダイオードモジュール１５０は、携帯端末機２００に搭載されるＮＦＣリーダー２１０の無線通信のための周波数送信により発光ダイオード１５４が発光することを特徴とする。これによって、本発明による携帯端末機用ケース１００は、携帯端末機２００の設定によって端末機２００の状態をユーザに表示することができる。
【００３３】
携帯端末機２００のＮＦＣリーダー２１０の動作がタッチパネルの作動に根拠する場合には、タッチパネルがとオンになる場合に、本発明のケース１００の発光ダイオード１５４が発光する。したがって、携帯端末機２００でタッチパネルのターン−オン動作を誘導する場合、例えば、電話の着信やメッセージの受信を携帯電話ケース１００を通じても認知できる。
【００３４】
上述の第１実施形態による携帯端末機用ケース１００は、光透過部１２３が背面カバー１２２を貫通するホールの形態で具現された実施形態である。
【００３５】
他の実施形態として、携帯端末機用ケース１００は、下記のように背面カバー１２２の透明度を調節して光透過部１２３を形成することができる。
【００３６】
図４は、本発明の第２実施形態による携帯端末機用ケースの切断面を示した断面図である。
【００３７】
図４を参照すれば、本発明の第２実施形態による携帯端末機用ケースは、カバー部４２０及び発光ダイオードモジュール１５０を含み、カバー部４２０の光透過部４２３は、透明膜または半透明膜で具現することができる。第２実施形態において上述した実施形態と同一な構成に対しては同一な図面符号を使用し、その詳細な説明は省略する。
【００３８】
カバー部４２０の光透過部４２３は、背面カバー４２２で発光ダイオード１５４と対応する領域を透明膜または半透明膜で形成することで具現することができる。半透明膜とは、光をまったく遮断することに対比して最小限の光を透過することができる材質を称することで、光の透過度に対する特定の数値を定義したものではないので任意の透過度を有することができる。
【００３９】
実質的に、第２実施形態の光透過部４２３は、背面カバー４２２を製作する過程において、発光ダイオード１５４と対面する領域の透明度を調節して形成することができる。すなわち、光透過部４２３は、背面カバー４２２と主要材質を同一に射出する過程で該当領域の透過度を調節することで形成することができる。
【００４０】
このように第２実施形態によるカバー部４２０は、光透過部４２３が開口された領域ではなく膜で形成されるので、異物がカバー部４２０の内部に侵透することを防止し、物理的衝撃から発光ダイオード１５４を保護することができる。
【００４１】
図５と図６は、本発明の第２実施形態によるケースにおける光透過部を具現した例として、ケースの背面カバーを示した図である。すなわち、図５及び図６は、背面カバー５２２、６２２が透明膜または半透明膜で形成される実施形態において、平面上の形態による実施形態を示す図である。
【００４２】
図５に示した光透過部５２３は、各々の発光ダイオード１５４を個別的に外部に露出させる透明膜または半透明膜パターンであってもよい。例えば、光透過部５２３は、図面のように発光ダイオード１５４から放出する光を背面カバー５２２の外部に照射できる程度の円形のサイズで形成することができる。
【００４３】
このような光透過部５２３は、発光ダイオード１５４が視覚的に露出される程度のサイズで形成されるので、発光ダイオード１５４の発光がユーザに点光源の形態で見える。
【００４４】
そして、図６に示した光透過部６２３は、複数個の発光ダイオード１５４を露出するパターンで形成された背面カバー６２２を示す。すなわち、光透過部６２３は、発光ダイオード１５４だけが露出される領域に限定されたものではないで、特定絵や文様または文字の形態を表現するように形成することができる。
【００４５】
特に、このように特定形態を有する光透過部６２３を半透明膜で形成する場合には、光透過部６２３は、パターン内に含まれる複数個の発光ダイオード１５４により面光源のような効果を現わすことができる。
【００４６】
図７は、本発明の第３実施形態による携帯端末機のケースを示した図である。
【００４７】
図７を参照すれば、本発明の第３実施形態による携帯端末機のケースは、カバー部７２０及び発光ダイオードモジュール１５０を含み、この時、発光ダイオードモジュール１５０は、背面カバー７２２の外側から結合される。
【００４８】
発光ダイオードモジュール１５０は、背面カバー７２２の外側に形成された窪んだ安着溝７２８に装着される。そして、発光ダイオードモジュール１５０の外側にはカバーフィルム７６０が覆われる。
【００４９】
カバーフィルム７６０は、 最小限発光ダイオードモジュール１５０を覆うサイズで形成され、一例で、背面カバー７２２の全体領域を覆うように形成することができる。また、カバーフィルム７６０は、全面を透明にしてもよい、発光ダイオード１５４の領域のみを透明にしてもよい。または、カバーフィルム７６０は、発光ダイオード１５４を露出させながら特定パターンを有するように透明な領域で形成することができる。
【００５０】
図８は、本発明の第４実施形態による携帯端末機用ケースの切断面図であり、図９は、本発明の第４実施形態によるケースの背面カバーを示した図である。
【００５１】
図８を参照すれば、本発明の第４実施形態による携帯端末機用ケースは、カバー部８２０及び発光ダイオードモジュール１５０を含む。また、上述の第１実施形態による携帯端末機用ケースの構成をすべて含み、背面カバー８２２にホール形態で形成された光透過部８２３の内側にキュービック８００が装着されたことを特徴とする。
【００５２】
前記キュービック(ｃｕｂｉｃ)８００は、ジルコニウムの酸化物として、屈折率が高くて耐食性が優秀なので、イヤリングやネックレス、指輪などのアクセサリーに広く使われる鉱物を指称し、携帯端末機用ケースの美観を向上させるとともに、発光ダイオード１５４から発光された直進性の光を多様な方向に屈折及び反射させて光透過部８２３の外部に放出することにより、電話の着信またはメッセージが受信される場合に、ユーザが発光ダイオード１５４の発光状態を多様な角度で容易に把握できるようにする役割をする。
【００５３】
また、前記発光ダイオード１５４と対面するキュービック８００の一面には、発光ダイオード１５４の光が透過する透過面８１０の周辺で反射コーティング層８２０を形成することで構成することができる。前記反射コーティング層８２０は、背面カバー８２２の後方からキュービック８００を通過して入射される光を反射させて、反射コーティング層８２０から反射された光は、さらにキュービック８００の結晶面で多様な角度で屈折及び反射されてキュービック８００の外部に放出されるようにすることにより、携帯端末機用ケースの美観を一層向上させる役割をする。
【００５４】
また、前記背面カバー８２２には、光透過部８２３が背面カバー８２２の内側から背面カバー８２２の外側に行くほど断面の直径が徐徐に小さくなるように傾斜面８２２ａが形成され、前記キュービック８００の側面には、前記背面カバー８２２の傾斜面８２２ａと対応する勾配を有する側面傾斜部８０１が形成され、前記背面カバー８２２の傾斜面８２２ａに前記キュービック８００の側面傾斜部８０１が安着固定されることにより、光透過部８２３にキュービック８００を装着する時、別途の付着手段なしにもキュービック８００の離脱が防止されるように構成した点にも特徴がある。
【００５５】
このように、本発明では、光透過部８２３の内側にキュービック８００を装着することにより、携帯端末機からユーザが遠く離れている場合にもキュービック８００により多角度で屈折及び反射される光を容易に認識することができるようになり、特に、視力が弱い視覚障害者の場合にも光の視認性が向上されて電話の着信またはメッセージの受信有無を容易に把握できる利点がある。
【００５６】
本実施形態では、光透過部８２３にキュービック８００が装着された場合を例で挙げて説明したが、本発明はこれに限定されるものではないで、発光ダイオード１５４の光を多様な角度で屈折及び反射させることができるものであれば、キュービック８００の代りに多様な素材を使用することができることは勿論である。
【００５７】
以上において説明した本発明は、本発明が属する技術の分野における通常の知識を有する者であれば、本発明の技術的思想を逸脱しない範囲内で、様々な置換、変形及び変更が可能であるので、上述した実施例及び添付された図面に限定されるものではない。
【図１】
2013157975.tif 000003
【図２】
2013157975.tif 000004
【図３】
2013157975.tif 000005
【図４】
2013157975.tif 000006
【図５】
2013157975.tif 000007
【図６】
2013157975.tif 000008
【図７】
2013157975.tif 000009
【図８】
2013157975.tif 000010
【図９】
2013157975.tif 000011